(57)【要約】【課題】吊持されている物の装飾要素が風力また風向に応じて様々な表情に変化することができ、しかも変化する物体の臨場感を視覚的に味わうことができる吊持用可動装飾具を提供する。【解決手段】無色透明の合成樹脂製の容器１と、この容器に収容される、柔軟な無色透明の袋２に密封状態で収容されている水３および水中で揺動可能に支持されている装飾要素４と、前記容器１の天部に設けられる吊持手段５と、下部に設けられる揺動手段６とからなる。容器１は、概略半球形の椀状に形成された身部７および蓋部８からなり、袋２は水３とこの水中に浮遊する浮き玉２２に吊り糸２１を介して連結する装飾要素４を収容して密封し、そのままの状態で容器１に収容している。【選択図】  図１
2007209467.tif 000002
【特許請求の範囲】
【請求項１】
透視可能な容器と、この容器の中に収納される透視可能な透明度の液体と、この液体の中で揺動可能に支持されている装飾要素と、この容器の天部に連結した、この容器を揺動あるいは回転可能に吊持するための吊持手段とからなる吊持用可動装飾具。
【請求項２】
前記容器が比較的硬質である請求項１記載の吊持用可動装飾具。
【請求項３】
前記容器が比較的軟質である請求項１記載の吊持用可動装飾具。
【請求項４】
前記硬質の容器の内部に透視可能な軟質の第二の容器が収容され、この第二の容器の中に前記液体および装飾要素が密閉収納されている請求項第２項記載の吊持用可動装飾具。
【請求項５】
前記容器の外側に容器を揺れ動かすことが可能な揺動手段を設けている請求項１または４記載の吊持用可動装飾具。
【請求項６】
前記揺動手段がその一端が自由端で、同他端を前記容器に連結している風受け部材である請求項５記載の吊持用可動装飾具。
【請求項７】
前記容器がそれぞれ概略半球形の椀状に形成された身部および蓋部からなる請求項２に記載の吊持用可動装飾具。
【請求項８】
前記軟質の第二の容器の底部が下向きに凸湾形成されている請求項４記載の吊持用可動装飾具。
【請求項９】
前記装飾要素が前記液体に浮く浮き部材に連結されている請求項１または４記載の吊持用可動装飾具。
【発明の詳細な説明】
【技術分野】
【０００１】
本発明は、吊持している物が風に吹かれて揺れ動いたり、また回転したりする吊持用可動装飾具に関する。
【背景技術】
【０００２】
吊持用可動装飾具の一例として、釣鐘部と、その中に吊られた舌部とからなる風鈴がある。風鈴は、近年の住環境において、夏場は窓を締め切ることが多いことから、窓外に設けた風鈴の涼感音を聞くのは難しくなってきている。これについてはエアコンディショナーの送風を利用して室内で風鈴の音を聞くことはできるが、テレビやラジオなどの音と重なってしまうという問題がある。そのため風鈴の釣鐘部の表面に絵柄を施し、釣鐘部が回転したときに絵柄が回転するのを見て、涼感を視覚で味わうようにしているものがある。しかし、この絵柄の表情は釣鐘部が回転しても変化しないので、このような風鈴は興趣に欠ける。
【発明の開示】
【発明が解決しようとする課題】
【０００３】
本発明は、吊持されている物体そのものが風力また風向に応じて様々な表情に変化することができ、上記従来の風鈴の絵柄の動きとは異なる涼感または臨場感を視覚的に味わうことができる吊持用可動装飾具を提供することを課題とする。
【課題を解決するための手段】
【０００４】
本発明の吊持用可動装飾具（請求項１）は、透視可能な容器と、この容器の中に収納される透視可能な透明度の液体と、この液体の中で揺動可能に支持されている装飾要素と、この容器の天部に連結した、この容器を揺動あるいは回転可能に吊持するための吊持手段とからなっている。
【０００５】
前記容器は比較的硬質であるものが好ましい（請求項２）。
【０００６】
また前記容器は比較的軟質であってもよい（請求項３）。
【０００７】
前記硬質の容器の内部に透視可能な軟質の第二の容器が収容され、この第二の容器の中に前記液体および装飾要素が密閉収納されているのが好ましい（請求項４）。
【０００８】
前記容器の外側に容器を揺れ動かすことが可能な揺動手段を設けているものが好ましい（請求項５）。
【０００９】
このような揺動手段としては、その一端を自由端とし、同他端を前記容器に連結している風受け部材が好ましい（請求項６）。
【００１０】
前記容器はそれぞれ概略半球形の椀状に形成された身部および蓋部からなるものが好ましい（請求項７）。
【００１１】
前記軟質の第二の容器の底部は、下向きに凸湾形成されているものが特に好ましい（請求項８）。
【００１２】
前記装飾要素が前記液体に浮く浮き部材に連結されているものが好ましい（請求項９）。
【発明の効果】
【００１３】
本発明の吊持用可動装飾具（請求項１）は、透視可能な容器の中に、透視可能な透明度の液体と、この液体の中で揺動可能な状態で支持されている装飾要素を収納しており、その容器の天部には、上記液体および装飾要素などを収納している当該容器を揺動あるいは回転可能に吊持する吊持手段が設けられている。そのため例えば、容器に風が当たると、上記容器は揺動あるいは回転することができる。
【００１４】
前記のように容器が揺動または回転すると、容器の中の液体は揺れ動き、また液体の中で揺動可能に支持されている装飾要素も液体の揺れ動きに反応して揺れ動くことになる。また液体の動きあるいは装飾要素の動きは容器が受ける風力の程度、また風向に反応するので、装飾要素は液体の中で回転したり、揺れ動いたりするだけではなく、繊細な動きをしたり、激しい動きをしたりなど変化に富んだ動きをする。
このように装飾要素の様々な動きは、容器が透視可能になっており、また液体も透視可能な透明度になっているので、容器のどの方向からでも見て取ることができる。
なお、ここでいう容器を揺動あるいは回転可能に吊持するための吊持手段とは、自然の風、またエアコンディショナーや扇風機などの機械的な風が容器に当たったとき、また指先などで容器を突付いたり、また押したりしたとき、上記容器が揺動、または回転などの動きを生じるように吊持するものをいう。
【００１５】
前記容器が比較的硬質である場合（請求項２）、その容器は押圧や、また収納物の重みに対して、簡単には変形しない。したがってこのような容器は外側から押しても、凹んだりすることが防止され、中の装飾要素は保護される。また容器の天部の吊り手段を設けている部分は、液体の全重量を支持しているので、負荷がかかるが、当該部分は簡単に変形することが防止されているので、長期間、使用することができる。
【００１６】
また前記容器が比較的軟質である場合（請求項３）、容器は、外側から内側に押すことが可能になっているので、中の液体を振動させて、装飾要素を動かすことができる。したがって装飾要素は容器の外側を指先などで突っついたり、押したりして液体を刺激することによって、揺れ動かすことができる。また装飾要素のこのような揺れ動きは、上記容器への突っつきや押す力を加減することによって、強弱させることができる。また前記突っつきや押す部位が異なれば、装飾要素の動きも異なるので、様々な動きを起こすことができる。
【００１７】
前記硬質の容器の内部に透視可能な軟質の第二の容器を収容し、この第二の容器の中に前記液体および装飾要素を密閉収納している場合（請求項４）、装飾要素および液体は軟質の第二の容器と、その外側の硬質の容器によって二重に保護されている。そのため万一、外側の容器が損傷しても、内側の容器によって液体および装飾要素は外側の容器からこぼれたりはしない。第二の容器は軟質であるから、硬質の容器に比べて、液体を収納した状態で密閉収納することは一層、簡単である。
【００１８】
前記容器の外側に容器を動かすことが可能な揺動手段を設けている場合（請求項５）、この揺動手段は容器の動きを促進あるいは補助することが可能である。したがって風がないとき、あるいは弱いときでも、上記容器は揺動手段によって揺動あるいは回転させることができる。ひいては装飾要素をより確かに動かすこともできる。
【００１９】
このような揺動手段が、その一旦を自由端とし、同他端を前記容器に連結している風受け部材である場合（請求項６）、風受け部材はこれ自体が風力あるいは風向に敏感に反応する。つまり容器よりも風受け部材の方が、風力あるいは風向に敏感に反応する。したがってこの風受け部材は、風が吹く場所に容器を吊持していると、風が吹いた時に容器が揺れ動いたり、また回転するよりも先に風を受けて揺れ動き、また回転するので、早期に容器に確かな揺れと回転を与える。また微風のため、容器自体は敏感に風の作用を受けることができない場合でも、風受け部材がその風を受けることによって、容器を揺らし、また回転させて、装飾要素が揺れ動く様が観賞できる。また請求項４の硬質の容器の内部に軟質の第二の容器が収容されている二重構造の容器の場合、重量は一つの容器よりも重くなるが、硬質の容器の外側に設けられた風受け部材が風を受けることによって、硬質の容器および第二の容器を諸共、揺れ動かし、また回転させて、中の装飾要素に揺動を与える。
【００２０】
前記容器が概略半球形の椀状に形成された身部および蓋部からなる場合（請求項７）、容器は閉蓋状態において、概略、球体の形状に形成されることが可能となっている。通常、球体の容器は、多角形の容器のような角部はない。したがって例えば容器が回転状態において中の物を見る場合、角部からそれを見たときのような、物が変形し、実際の姿が歪曲して見えることはない。また平面部と角部が規則的あるいは不規則に目の前に回転してこないので、物が変形しているのと、そうでないものが見える煩雑さはない。したがって本発明の場合、容器は大部分が湾曲面に形成されているので、回転状態においては、ほとんど湾曲面越しに装飾要素を見ることになる。そのため装飾要素が角部分で変形して見えることはほとんどなく、また実際の形状を見ることができるので、観賞するうえでの煩雑さはほとんどない。
【００２１】
前記軟質の第二の容器の底部が下向きの凸彎曲面に形成されている場合（請求項８）、この容器は液体や装飾要素が収納されているので、それ相当の重量になっている。したがってこの軟質の容器の底部の凸湾曲面は前記硬質の容器の底部の湾曲面に沿い易く、また密着させ易い。そのため、第二の容器は硬質の容器の底部に安定した状態で収納させることができる。また第二の容器は硬質の容器内での安定感が高いので、硬質の容器が揺れ動いても容器内で転倒しない。また容器と袋の底部は一体観があるので、煩雑さがなく、好体裁の外観を呈する。
【００２２】
前記装飾要素が前記液体に浮く浮き部材に連結されている場合（請求項９）、浮き部材は水が揺動するのに伴って、自ら、揺れ動くので、装飾要素も水中において揺動が可能となっている。したがって装飾要素は容器が揺れ動いたり、また回転したりしたときに、浮き部材の揺動によって、水中で揺動する。また浮き部材は容器が押されて水が移動すると、水中あるいは水面上を移動することが可能となっている。したがって装飾要素は所定の場所で揺動する単調なものではなく、容器の中央や端など異なるところで揺動することができるので、変化に富んでいる。
【発明を実施するための最良の形態】
【００２３】
次に図面を参照しながら本発明の吊持用可動装飾具（以下、装飾具という。）の実施形態を説明する。図１は本発明の装飾具の一実施形態を示す正面斜視図、図２ａは図１の容器の嵌合部分の断面図、図２ｂは図１の容器の天部の一部斜視図、図２ｃは図１の容器の底部の一部斜視図、図３ａは袋の底面図、図３ｂは同袋の正面図、図３ｃは同袋の側面図、図４ａは図１の袋および装飾要素の一実施形態を示す正面図、図４ｂは同側面図、図５および図６は本発明に関する袋の他の実施形態を示す一部省略の正面図、図７は本発明の吊持用可動装飾具の他の実施形態を示す上面斜視図である。
【００２４】
図１に示す装飾具は、可撓性の比較的硬質である無色透明の合成樹脂製の容器１と、この容器に収容される、柔軟な無色透明の袋２に密封状態で収容されている水３および水中で揺動可能に支持されている装飾要素４と、前記容器１の天部に設けられる吊持手段５と、下部に設けられる揺動手段６とからなる。
容器１は身部７と蓋部８からなる。身部７と蓋部８はそれぞれの周縁が円形の半球形の椀状に形成され、また周縁の直径は概略６０〜１００mmの範囲内が機能上、また美観上からも好ましいが、８０mm前後のものは、特に好ましい。蓋部８は身部７よりも大きい椀状に形成されていて、図２ａに示すように、蓋部８は周縁から外側に延びる水平面９ａとこの水平面より垂直方向に立ち上がっている立ち上がり面９ｂからなる断面がカギ形の嵌合部１０ａを形成している。一方、身部７も同様に周縁から外側に延びる水平面９ａとこの水平面より垂直方向に立ち上がっている立ち上がり面９ｂからなる断面がカギ形の被嵌合部１０ｂを形成している。嵌合部１０ａと被嵌合部１０ｂのそれぞれのカギ形はその水平面９ａ、９ａ同士が当接し、またその立ち上がり面同士９ｂ、９ｂが密着する。
【００２５】
また図２ａおよび図２ｂに示すように、それぞれの立ち上がり面９ｂ、９ｂの一方には凹条１１ａを、他方には凸条１１ｂを要所要所に設けている。この凹条１１ａと凸条１１ｂは立ち上がり面９ｂ、９ｂが密着し、水平面９ａ、９ａが当接した状態において嵌合するので、身部７と蓋部８の周縁同士は密着と嵌合によって、身部７の口部の閉蓋をより確かなものにする。しかして閉蓋状態における容器１は、図１に示すように、全体的には中空の球体を呈しているが、図１および図２ａ乃至図２ｂに示すようにその中間の表面を嵌合部１０ａおよび被嵌合部１０ｂが突出して囲繞している。この突出部分は後述する吊持手段５によって容器１が吊持された場合、風の抵抗を受け易いので、容器１の揺動、また回転作用に有効である。
【００２６】
さらに図２ａに示すように前記立ち上がり面９ｂ、９ｂの周縁から外側に向けて水平に延びる当接面９ｃ、９ｃが形成されており、図１および図２ｂに示すようにその当接面９ｃ、９ｃから吊持用穴１２、１２を穿設した突片１３、１３を延設している。また図２ｃに示すように前記突片１３、１３と真反対の当接面９ｃ、９ｃから、紐通し穴１４を穿設した突片１５、１５を延設している。この突片１５、１５は下端が連続形成されている。明らかなように上記容器１は一体形成されている。ただし別体としてもよい。
【００２７】
図１および図２ｂに示すように容器１の天部には吊持手段５が取り付けられている。この吊持手段５は前記吊持用穴１２と、これに挿通している金属製あるいは合成樹脂製の吊り環１７と、この吊り環１７に取り付けている柔軟な吊り紐１８からなっている。吊り環１７は一本の線材の両端を分離可能な状態で重ね合わせたリング状のものが特に好ましい。この吊り環１７は、吊持用穴１２、１２から離脱させ、身部７と蓋部８の嵌合を解消して、蓋部８の口部を完全に開口させることができる。なお吊り環は、エンドレスのリングであってもよい。これは身部７を全面的に開口することはできないので、少なくとも、水３、装飾要素４を収納している袋２が容器１に出し入れができる開口を確保するために大きめのリングが好ましい。吊り紐１８は特に木綿製の太目の糸など柔軟性に富み、また糸が捩れ易いものが容器１の揺動、特に回転作用が円滑となる。また木綿製の糸に代えて、合成樹脂製の極細紐でもよい。その場合、前記の糸のように容器の揺動や回転などの動きを円滑にすることはできないが、長期の使用に耐えることができる。なお、吊り環１７を使用しないで吊持用穴１２に直接、上記吊り紐１８を取り付けることもできる。この場合、吊持用穴１２の周りは面になっているので、吊り紐１８は吊り環１７に比して回転方向の抵抗を受けやすい。そのため容器の揺動また回転を抑制するには効果的である。
【００２８】
図２ｃに示すように、容器１の下部には揺動手段６が設けられている。この揺動手段７は前記紐通し穴１４と、短冊１９と、この短冊を吊るす木綿製の吊り紐２０からなっている。またこの短冊１９は容器１の底部から少し離れたところで吊持されている。短冊１９は自然の風あるいは室内のエアコンディショナーや扇風機による人工的な風を受けて、上記容器１を揺動または回転させることができる程度の大きさ、形状、厚さに形成されている。素材は合成樹脂製あるいは紙製のいずれでもよい。この短冊１９は容器１から離れているので、風を受けたときに自らが軽快かつ簡単に揺動、また回転するので、容器１を早期に揺動させたり、また回転させたりするのに有効に作用する。またこの作用は後述する液体３および装飾要素４などを容器１に収納した状態においても、容器１を揺動また回転させたり、あるいは容器の揺動また回転を補助することができる。短冊１９が紙製の場合は、図１に示すように本体１９ａの表面あるいは裏面または両面に仮着紙１９ｂを貼着し、本体１９ａに取り扱い説明あるいは絵柄を施し、また仮着紙１９ｂの表面も同様に印刷処理しておく。本体１９ａまた仮着紙１９ｂの表面に絵柄を施す場合、異なる絵柄が好ましい。また本体１９ａに取り扱い説明が印刷されている場合、仮着紙１９ｂは一旦、剥離した後、再度、仮着紙１９ｂを本体１９ａに張り付けることができるものとしてもよい。
【００２９】
図１に示すように、容器１の中には、折畳みが可能な柔軟な無色透明のビニル製の袋２の中に無色透明の水３と共に密閉収納されている。この装飾要素４は無色透明の極細の吊り糸２１、例えばてぐすを介して無色透明の浮き玉２２に連結されている。装飾要素４は水３の中で浮き玉２２の浮力によって袋２の底部に接触しないように、また袋の底部より上方のところで動くことができるように吊持されている。
【００３０】
上記袋２は、図３ａに示すように底面２ａはアーモンド形になっており、また図３ａ乃至図３ｃに示すように前面２ｂおよび後面２ｃはそれぞれの下方は、下端が下向きに凸湾する湾曲面になっている。上記前面２ｂの下縁は上記底面２ａのアーモンド形の一方の周縁と溶着Ｙ１し、また後面２ｃの下縁は同底面２ａの他方の周縁と溶着Ｙ２し、さらに上記前後面２ｂ、２ｃのそれぞれの対向する側縁を溶着Ｙ３している。明らかなように袋２は底襠の両側が側面の下方まで延びているアーモンド形の底襠付きの袋に形成されている。それぞれの溶着部は袋２の柔軟な素材に張り力を与えることができるようなそれ相当の幅になっている。特に底面２ａの溶着部Ｙ１、Ｙ２は周縁から水平に延びているので、底面２ａは実質的な収納部分の底面の面積よりも拡大している。したがって非常に安定感の良い底面になっている。
上記袋２は図４ａに示すように水３、浮き玉付きの装飾要素４などを収容した後、図３ｂに示す袋の口部２ｄを溶着Ｙ４するが、全ての溶着部は隣接する溶着部とつながっている。しかして図４ａおよび図４ｂに示すように底面２ａの両側は持ち上げられ、また下向きに凸湾する湾局面を保持する。また図４ｂに示すように密封された袋２の側面はほぼ三角形状を形成する。しかして水３や装飾要素が収容された状態の袋は重心が低く、また収容された水の周囲は張り力のある溶着部Ｙ１、Ｙ２で囲繞されているので、自立し、また転倒することを防止している。
【００３１】
水３は通常の水道水を防腐処理をしたものを用いることができる。水道水は粘性が低いので、吊り糸２１、浮き玉２２および装飾要素４が揺れるのに格別の影響はない。水量は装飾要素４が袋２の底部に接触しないように、また浮き玉２２が浮遊できる量になっている。また容器１の中に全体が納まるように水量を加減する。装飾要素４は水棲の動植物、虫、または魚など、水との相性がよいものを実物に似せて、立体的に形成している。したがって水中で動いているときは、臨場感溢れる表情を呈する。なお、装飾要素４が水中に生息しないもの、例えば空を飛ぶ昆虫類や鳥類は水を空に見立てることができるので、水中にあっても違和感はなく、使用することができる。
【００３２】
図４に示すように袋２は、底面２ａは前述のとおり下向きに凸湾した湾曲面に形成され、また側面は上方に向かって漸次細くなっているので、水などを入れた袋２全体の重心は下方に位置する。したがって図４ｂに示す袋は、球体形の容器１に収納した状態においても非常に安定感がある。また容器１の底部に密着し易く、一体感がある。そのため容器１の揺れまたは回転などの動きは、袋２の中の水や装飾要素４が敏感に反応する。例えば容器１の揺れが小さくても、装飾要素４は揺れ動くことができる。なお上記袋２は容器１に収容できる大きさにしているのが好ましい。しかし袋２が容器よりも高い場合、袋は柔軟であるから、折畳んで容器１に収容することができる。
【００３３】
前記装飾要素４は、前述のとおり袋２が自立できるので、袋２ごと容器１から取り出して、机の上などにおいて飾ることができる。この場合、袋２の底面２ａは柔軟であるから、水平の机上でも比較的安定した状態で飾ることができる。一方、底面２ａは、全体的には弧面を保持しているので、袋２の側面の一方を他方に押すと揺り戻される。そのため装飾要素は揺動するので、吊持状態にしないでも揺動を楽しむことができる。また、装飾要素を袋ごと、他の容器に移し替えることもできる。例えば袋は柔軟であるから、仮に容器が細かったり、小さかったりしても、容器の形状に合わせることは可能である。その場合の容器は吊り持用、また設置用のいずれにも適応できる。
【００３４】
図１に示す装飾具は、その外観はまるで慣れ親しんできた風鈴の外観を呈し、さらに水中の装飾要素４が風力および風向によって様々な動きをする。特に水３の中での動きは水の抵抗を受けながら揺動あるいは回転をするので非常に繊細である。また、一律的に動く単調な動きとは異なり、非常に興趣がある。また風を感じながら水の動く様子はいかにも涼しげであるから、一層涼感を得ることになる。そして従来の風鈴の釣鐘部に絵柄を施したものとは異なる装飾要素の動きを観賞することができる。
【００３５】
具体的には、容器１が窓外の風通しのよい場所に吊り紐１８を引っ掛けて吊持される場合、つまり自然の風を利用する場合、自然の風は一定の風力または風向が維持されるわけではないので、容器１は変化に富んだ揺動、または回転をする。特に短冊１９は、容器以上にこうした風の影響を強く受け、吊り紐が捩れて容器１への回転作用、あるいは揺動作用を与える。したがって装飾要素４は自然の風によって、大きくも小さくも変化にとんだ動きを継続的に、または単発的にすることができ、また非常に繊細かつ大胆に動くこともできる。また装飾要素が水棲動植物または魚などの場合、水３の中での動きは非常に臨場感あふれたものになる。そしてこのような装飾要素４の動きは計算されたものではないので、興趣に富んでいる。また、仮に容器１が激しく揺れても、装飾要素４は水３に抵抗して動くので、同じ激しい動きにはならず、容器の動きの激しさと装飾要素の抑制された動きのギャップが興趣に富んでいる。また容器１が少しの揺れの場合でも、装飾要素は水が少し揺れるだけで簡単に、かつ繊細に動く。そのため従来の風鈴が鳴らない程度の風でも、装飾要素の動きを見て、涼感を得ることができる。なおエアコンディショナーや扇風機などの機械的な風を利用する場合、自然の風のような上記効果は望めないが、風力および風向を自然の風に機能調整しておけば、それに近い効果を得ることができる。
【００３６】
なお、図１に示す容器１が水密状態で嵌合できる場合、袋２を省略して、液体と装飾要素４を直接容器１に収納することもできる。また袋２の中には図４ａに示すように装飾要素４以外に袋２の底部に、例えば海底に沈む石、貝、海草やさんご礁など海中の生き物などの模擬物を装飾補助材２３として、収納しておいてもよい。これらの装飾補助材２３は袋２の底部に散在して設けているので、装飾要素４のように繊細に揺れ動くことはできないが、容器１が大きく揺れ動いた場合には、袋２の底部で動く。そのため袋の中では、装飾要素の水中で動く様と、装飾補助材２３の底部で動く、異なる動きを同時に観賞できる。なお水３は無色透明に限るものではなく、装飾要素４また装飾補助材２３の装飾効果が生かせる範囲で有色透明であってもよい。
【００３７】
なお袋２の底部は図５に示すように、袋２の底面の縁から垂直に脚部３０が延びているスタンディング形態のものであってもよい。この脚部３０は水平面上に置く場合に、適している。しかし脚部は折り畳むことができるので、容器の形状に関係なく、収納することもできる。また、図６に示すように、袋２の口部の溶着部Ｙ４が吊持用穴２５を穿設した突片２６を設けた形状にしておけば、この突片２６を前記容器１の身部７と蓋部８の突片１３、１３の間に介在させ、かつ吊持用穴２５にも吊り環１７を通すことができる。袋２は容器１内で吊持された状態になるが、底面２ａは容器１の内面に接触していてもよい。つまり袋２と容器１は上下で接触しているので、一体感が一層、良好となり、また袋の形状も損なわれないので、好体裁の外観を呈する。このような状態の装飾要素は、袋が吊り環に直結しているので、揺動し易くなる。
【００３８】
図７は装飾具のその他の実施形態を示しているが、この装飾具の容器４１は前記実施形態の図４ａの袋２の上方を図６に示す形態に変更し、また溶着部Ｙ１、Ｙ２を垂直方向に延ばした形態に変更している。この溶着部には一対の風受け部材４９をそれぞれ取り付けている。風受け部材４９としては、薄肉の貝細工３１を連結したものを使用している。これは風を受けたときに風受け部材同士がぶつかって涼感音を奏でるのに有効である。図示の容器４１には前記実施形態と同じように水４３、浮き玉付きの装飾要素４４などを収容している。容器４１は柔軟であるから、外側から内側に指先などで押すと、表面が凹むので、水４３や装飾要素４４を動かすことができる。したがって意図的に装飾要素４４を確かに動かすことができる。
【００３９】
上記の実施形態は、装飾要素４４の動きと貝細工のぶつかり合う涼感音を同時に体験することができる。なお、上記貝細工以外に、風によって涼感音を奏でるものであってもよい。
なお図１に示す容器１および図７に示す容器４１は、風受け部材がこれらの容器を揺動または回転させるのに有効であるが、容器の吊持は一点吊持なので、これ自体が非常に不安定な状態になっている。したがって仮に風受け部材は無くても、容器は多少なりとも揺れ動き、また装飾要素は揺れ動く。したがって容器に風受け部材が設けられていない状態で使用することもできる。また容器が、柔軟な内容器に装飾要素及び水などを収容して密封し、それをまるごと柔軟な外容器の中に収容して密封してなる二重構造のものでもよい。これは図７の容器と同じように意図的に装飾要素を動かすことができるが、容器は二重構造になっているので、万一、指先で押したりしている時に、外側の容器が破損しても、水洩れが防止される。
【図面の簡単な説明】
【００４０】
【図１】本発明の吊持用可動装飾具の一実施形態を示す正面斜視図である。
【図２】図２ａは図１の容器の嵌合部分の断面図、図２ｂは図１の容器の天部の一部斜視図、図２ｃは図１の容器の底部の一部斜視図である。
【図３】図３ａは袋の正面図、図３ｂは同袋の底面図、３c同袋の側面図である。
【図４】図４ａは装飾要素などが密封された袋の正面図、図４ｂは図４ａの側面図である。
【図５】その他の袋の実施形態を示す一部省略の正面図である。
【図６】その他の袋の実施形態を示す一部省略の正面図である。
【図７】その他の吊持用可動装飾具の上面斜視図である。
【符号の説明】
【００４１】
１  容器
２  袋
２ａ  底面
２ｂ  前面
２ｃ  後面
２ｄ  口部
３  水
４  装飾要素
５  吊持手段
６  揺動手段
７  身部
８  蓋部
９ａ  水平面
９ｂ  立ち上がり面
１０ａ  嵌合部
１０ｂ  被嵌合部
１１ａ  凹条
１１ｂ  凸条
１２  吊持用穴
１３  突片
１４  紐通し穴
１５  突片
１７  吊り環
１８  吊り紐
１９  短冊
１９ａ  本体
１９ｂ  仮着紙
２０  吊り紐
２１  吊り糸
２２  浮き玉
２３  装飾補助材
２５  吊持用穴
２６  突片
３０  脚部
３１  貝殻
４１  容器
４３  水
４４  装飾要素
４５  風受け部材
Ｙ１  溶着部
Ｙ２  溶着部
Ｙ３  溶着部
Ｙ４  溶着部
【図１】
2007209467.tif 000003
【図２】
2007209467.tif 000004
【図３】
2007209467.tif 000005
【図４】
2007209467.tif 000006
【図５】
2007209467.tif 000007
【図６】
2007209467.tif 000008
【図７】
2007209467.tif 000009